(57)【特許請求の範囲】
【請求項１】
第１ケース体と第２ケース体とを有し、遊技機の制御のための基板を収容する遊技機用の基板ケースを封止する封止構造であって、
前記第１ケース体側に設けられた第１および第２係合部と、
前記第２ケース体側に設けられ、前記第１および第２係合部とそれぞれ係合可能な第３および第４係合部とを含み、
前記第１および 第３係合部の一方は、第１ロック係合片を含み、
前記第１および第３係合部の他方は、前記第１ロック係合片とロック係合するための第１係合凹所を含み、
前記第２および第４係合部の一方は、第２ロック係合片を含み、
前記第２および第４係合部の他方は、前記第２ロック係合片と係合するための第２係合凹所を含み、
前記第１および第３係合部の少なくとも一方は、所定の第１破壊部を介して前記第１および第２ケース体に結合されており、前記第１破壊部の破壊により、前記第１および第３係合部の前記一方を、当該第１および第２ケース体から除去可能であり、
前記第２および第４係合部の前記他方には、通過用凹所が形成されており、
前記基板ケース封止構造は、前記第２係合凹所を有し、前記第２および第４係合部の前記他方に関連する所定の装着位置に着脱可能なスペーサをさらに含み、
前記第１ロック係合片および前記第１係合凹所は、前記第１および第２ケース体を、前記基板ケースが封止状態にあるときの前記第１および第２ケース体の相対位置である第１位置に向けて、前記第１位置よりも前記第２ケース体が所定の一方向側に位置するときの前記第１および第２ケース体の相対位置である第２位置から所定のスライド方向に沿って相対スライド変位させることにより、前記第１ロック係合片が前記第１係合凹所にロック係合するように設けられており、
前記第２ロック係合片、前記第２係合凹所および前記通過用凹所は、前記装着位置から前記スペーサを離脱させた状態で、前記第１および第２ケース体の相対位置が前記第２位置から前記第１位置に変位するように、前記第１および第２ケース体を相対スライド変位させるときに、前記第２ロック係合片が前記通過用凹所と係合せずに当該通過用凹所を通過し、かつ前記スペーサを前記装着位置に装着させた状態で、前記第１および第２ケース体の相対位置が前記第２位置から前記第１位置に変位するように、前記第１および第２ケース体を前記スライド方向に沿って相対スライド変位させることにより、前記第２ロック係合片が前記第２係合凹所にロック係合するように設けられている、基板ケース封止構造。
【請求項２】
前記第１ロック係合片は、前記第１または第２ケース体の側壁から前記スライド方向に沿って突出する第１突出片、および当該第１突出片の先端部に形成された第１係合爪を有し、
前記第１係合凹所は、前記第１ロック係合片の前記第１ロック爪とロック係合し、
前記第２ロック係合片は、前記第１または第２ケース体の側壁から前記スライド方向に沿って突出する第２突出片、および当該第２突出片の先端部に形成された第２係合爪を有し、
前記第２係合凹所は、前記第２ロック係合片の前記第２ロック爪とロック係合する、請求項１に記載の基板ケースの封止構造。
【請求項３】
前記第１または第２ケース体には、前記装着位置から離脱させられている前記スペーサを収納するためのスペーサ収納部が設けられている、請求項１または２に記載の基板ケース封止構造。
【請求項４】
前記スペーサは、前記第１および第２ケース体とは異なる色に着色されている、請求項１〜３のいずれか一項に記載の基板ケース封止構造。
【請求項５】
遊技機本体と、
前記遊技機本体の裏面側に取り付けられた遊技機用の基板ケースと、
請求項１〜４のいずれか一項に記載の基板ケース封止構造とを備えた遊技機。
【発明の詳細な説明】
【技術分野】
【０００１】
本発明は、遊技機用の基板ケースの封止構造、およびそれを備えた遊技機に関する。遊技機としては、パチンコ機やパチスロ機等を例示することができる。
【背景技術】
【０００２】
パチンコ機やパチスロ機等の遊技機では、主基板などの制御基板が、基板ケースに収容された状態で遊技機本体の内部に収容されている。このような遊技機の基板ケースとして、たとえば、第１ケース体と第２ケース体とを互いに組み合わせて略箱形となるように構成したものが知られている。
この基板ケースは、閉じ状態で現状復帰不能に封止する。具体的には、たとえば基板ケースの破壊部を破壊しなければ基板ケースを開封することができないようになっている。基板ケースの開封に伴って開封の痕跡が基板ケースに残るので、開封の痕跡を残さない限り、基板ケースに収容された制御基板を取り出すことはできない。このような基板ケースとして、たとえば特許文献１および２に示すものがある。
【先行技術文献】
【特許文献】
【０００３】
【特許文献１】特開２０００−１２６４２０号公報
【特許文献２】特開２００５−１３７４９７号公報
【発明の開示】
【発明が解決しようとする課題】
【０００４】
この基板ケースは、その封止のための操作をスムーズに行う必要がある。もちろん、スムーズな封止操作が実現できるとしても、それによって封止の信頼性が低下したのでは意味がない。また、検査のために基板ケースを一時的に開封する必要があることを考慮して、基板ケースは少なくとも１回の再密封を可能に設けられていることが望ましい。
そこで、この発明は、封止のための操作手順が簡単で、封止の信頼性を高く保つことができ、かつ少なくとも１回の再密封を可能にした遊技機用の基板ケースの封止構造、およびそれを備えた遊技機を提供することを目的とする。
【課題を解決するための手段】
【０００５】
前記の目的を達成するための請求項１記載の発明は、第１ケース体（３０）と第２ケース体（１００）とを有し、遊技機（８０）の制御のための基板（２１）を収容する遊技機用の基板ケース（１）を封止する封止構造であって、前記第１ケース体側に設けられた第１および第２係合部（５０，６０）と、前記第２ケース体側に設けられ、前記第１および第２係合部とそれぞれ係合可能な第３および第４係合部（２４，１７４）とを含み、前記第１および第３係合部の一方は第１ロック係合片（５０）を含み、前記第１および第３係合部の他方は、前記第１ロック係合片とロック係合するための第１係合凹所（２４）を含み、前記第２および第４係合部の一方は、第２ロック係合片（６０）を含み、前記第２および第４係合部の他方は、前記第２ロック係合片と係合するための第２係合凹所（１７４）を含み、前記第１および第３係合部の少なくとも一方は、所定の第１破壊部（４６〜４９）を介して前記第１および第２ケース体に結合されており、前記第１破壊部の破壊により、前記第１および第３係合部の前記一方を、当該第１および第２ケース体から除去可能であり、前記第２および第４係合部の前記他方には、通過用凹所が形成されており、前記基板ケース封止構造は、前記第２係合凹所を有し、前記第２および第４係合部の前記他方に関連する所定の装着位置（１２６）に着脱可能なスペーサ（１７０）をさらに含み、前記第１ロック係合片および前記第１係合凹所は、前記第１および第２ケース体を、前記基板ケースが封止状態にあるときの前記第１および第２ケース体の相対位置である第１位置に向けて、前記第１位置よりも前記第２ケース体が所定の一方向側に位置するときの前記第１および第２ケース体の相対位置である第２位置から所定のスライド方向に沿って相対スライド変位させることにより、前記第１ロック係合片が前記第１係合凹所にロック係合するように設けられており、前記第２ロック係合片、前記第２係合凹所および前記通過用凹所は、前記装着位置から前記スペーサを離脱させた状態で、前記第１および第２ケース体の相対位置が前記第２位置から前記第１位置に変位するように、前記第１および第２ケース体を相対スライド変位させるときに、前記第２ロック係合片が前記通過用凹所と係合せずに当該通過用凹所を通過し、かつ前記スペーサを前記装着位置に装着させた状態で、前記第１および第２ケース体の相対位置が前記第２位置から前記第１位置に変位するように、前記第１および第２ケース体を前記スライド方向に沿って相対スライド変位させることにより、前記第２ロック係合片が前記第２係合凹所にロック係合するように設けられている、基板ケース封止構造である。
【０００６】
なお、括弧内の数字は、後述の実施形態における対応構成要素等を表すが、特許請求の範囲を実施形態に限定する趣旨ではない。以下、この項において同じ。
この構成によれば、基板ケースを最初に封止（密封）する際には、スペーサを装着位置から離脱させた状態で、第２位置にある第２ケース体を第１位置に向けて、第１ケース体に対して相対的にスライド変位させる。これにより、第１ロック係合片が第１係合凹所にロック係合し、第１および第２ケース体がロック結合する。これにより、遊技機用の基板ケースが封止状態になり、その封止状態が維持される。このとき、第２ロック係合片は、第２および第４係合部の他方に係合しない。
【０００７】
基板ケースを検査等のために開封する際には、第１破壊部を破壊し、互いにロック係合している第１ロック係合片および第１係合凹所の一方を当該第１または第２ケース体から除去する。これにより、第１および第２ケース体のロック結合が解除され、基板ケースは開封可能な状態になる。
基板ケースを再度封止（再密封）する際には、スペーサを装着位置に装着させた状態で、第２位置にある第２ケース体を第１位置に向けて、第１ケース体に対して相対的にスライド変位させる。これにより、第２ロック係合片が第２係合凹所にロック係合し、第１および第２ケース体がロック結合する。これにより、遊技機用の基板ケースが再度封止状態になり、その封止状態が維持される。
【０００８】
また、第２および第４係合部の他方には通過用凹所が形成されている。装着位置からスペーサを離脱させた状態において、第２ケース体を第１位置に変位させても、第２ロック係合片は通過用凹所を通過し、当該第２ロック係合片と係合しない。これにより、スペーサの離脱状態において第２ケース体を第１位置に変位させたときに、第２ロック係合片が第２および第４係合部の他方に係合するのを確実に防止することができる。
以上のように、少なくとも１回の再密封を可能にしつつ、基板ケースの封止を簡単な操作手順で実現することができる。
また、基板ケースの２回の封止の双方において、第１および第２ケース体をロック結合させることができる。これにより、封止の信頼性を高く保つことができる。
【０００９】
請求項２に記載のように、前記第１ロック係合片は、前記第１または第２ケース体の側壁から前記スライド方向に沿って突出する第１突出片（５１）、および当該第１突出片の先端部に形成された第１係合爪（５２）を有し、前記第１係合凹所は、前記第１ロック係合片の前記第１ロック爪とロック係合し、前記第２ロック係合片は、前記第１または第２ケース体の側壁から前記スライド方向に沿って突出する第２突出片（６１）、および当該第２突出片の先端部に形成された第２係合爪（６２）を有し、前記第２係合凹所は、前記第２ロック係合片の前記第２ロック爪とロック係合してもよい。
【００１４】
請求項３記載の発明は、前記第１および第２ケース体の少なくとも一方には、前記装着位置から離脱させられている前記スペーサを収納するためのスペーサ収納部（１２７）が設けられている、請求項１または２に記載の基板ケース封止構造である。
この構成によれば、第１および第２ケース体の少なくとも一方にスペーサ収納部が設けられており、このスペーサ収納部に、装着位置から離脱させられているスペーサを収納しておくことができる。そのため、装着位置からスペーサを離脱させる必要のあるときに、そのスペーサを基板ケースとは別に保管しておく必要がない。
【００１５】
請求項４に記載のように、前記スペーサは、前記第１および第２ケース体とは異なる色（透明色でない色）に着色されていてもよい。
第１および第２ケース体がそれぞれ透明であることが望ましい。このとき、基板ケース外からスペーサを容易に視認することができ、基板ケースを取り外すことなく、スペーサが装着位置にあるか否かを把握することができる。
【００２１】
請求項５記載の発明は、遊技機本体（３，５）と、前記遊技機本体の裏面側に取り付けられた遊技機用の基板ケース（１）と、請求項１〜４のいずれか一項に記載の基板ケース封止構造とを備えた遊技機（８０）である。
この構成によれば、請求項１〜４に記載した作用効果と同等の作用効果を奏する。
【図面の簡単な説明】
【００２３】
【図１】本発明の一実施形態に係る基板ケース封止構造が適用された主基板ケースが組み込まれた遊技機の概略構成を示す斜視図である。
【図２】図１に示す遊技機に含まれる遊技盤の背面図である。
【図３】主基板ケースの構成を示す斜視図である。
【図４】図３に示すベース体の斜視図である（その１）。
【図５Ａ】図３に示すベース体の斜視図である（その２）。
【図５Ｂ】図３に示すベース体の斜視図である（その３）。
【図６】図５Ａに示す矢視VIから見た図である。
【図７Ａ】図３に示すカバー体の斜視図である（その１）。
【図７Ｂ】図３に示すカバー体の斜視図である（その２）。
【図８】図３に示すカバー体の斜視図である（その３）。
【図９】図８に示す矢視IXから見た図である。
【図１０】図７Ａ、図７Ｂおよび図８に示すスペーサの構成を示す拡大斜視図である。
【図１１】図３に示すシールカバーの斜視図である。
【図１２】図１１に示す矢視XIIから見た図である。
【図１３】図１１に示す矢視XIIIから見た図である。
【図１４】図１２に示す切断面線XIV-XIVから見た断面図である。
【図１５】図１２に示す切断面線XV-XVから見た断面図である。
【図１６】図１２に示す切断面線XVI-XVIから見た断面図である。
【図１７】ベース体およびカバー体の嵌合状態を示す斜視図である。
【図１８】ベース体およびカバー体の結合状態を示す斜視図である。
【図１９】主基板ケースの第１回目の封止操作を示す要部断面図である。
【図２０】シールカバーの装着動作を示す要部断面図である。
【図２１】主基板ケースの開封後におけるベース体を、図５Ａに示す矢視XXIから見た図である。
【図２２】スペーサをスペーサ装着部に取り付けた状態のカバー体を、図８に示す矢視IXから見た図である。
【図２３】主基板ケースの第２回目の封止操作を示す要部断面図である。
【発明を実施するための形態】
【００２４】
以下では、この発明の実施の形態を、添付図面を参照して詳細に説明する。
図１は、本発明の一実施形態に係る基板ケース封止構造が適用された主基板ケース１（図４参照）が組み込まれた遊技機８０の概略構成を示す斜視図である。この実施形態では、図１に示す遊技機８０はパチンコ機である。
遊技機８０は、遊技店内に配列された遊技島への取付け（設置）のための略四角枠状の外枠２と、この外枠２に対し片開き（横開き）可能に取り付けられた内枠（遊技機本体）３とを備えている。外枠２の左右一方、たとえば左側のヒンジ４によって、内枠３はヒンジ４の回動軸まわりに回動可能に保持されている。
【００２５】
内枠３の上部分には、遊技盤５（遊技機本体。図２参照）が収容保持されている。内枠３の下部分には、発射手段（図示しない）が収容保持されている。内枠３の前側には、前扉６が開閉可能に設けられている。また、内枠３の手前側には、前扉６の下方に、下部開閉板７が開閉可能に設けられている。前扉６には、遊技盤５に対向する位置に略円形の開口８が形成されている。この開口８には、ガラス板などの透明板９が嵌められていて、前扉６を閉じた状態で、その透明板９を介して、透明板９の奥側の遊技盤５を視認することができるようになっている。前扉６の上部には、左右一対のスピーカ１４が配設されている。また、前扉６の下部には、左右一対のランプユニット１５が配設されている。
【００２６】
下部開閉板７には、遊技に使用する遊技球（パチンコ球）を貯留しておくための上皿１０と、上皿１０からオーバーフロー路（図示しない）を通して溢れた遊技球を受け止める下皿１２とが上下に並んで設けられている。また、下皿１２の右側には、遊技球を遊技盤５に打ち出す際に操作されるハンドル１３が配設されている。遊技者が、ハンドル１３を把持して回転操作することにより、発射装置から遊技盤５に向けて遊技球を発射することができ、また、ハンドル１３の回転角度を調整することにより、遊技盤５に向けて発射される遊技球の勢いを調節することができる。
【００２７】
図２は、遊技盤５の背面図である。遊技盤５の盤面（前面）には、中央部に略円形の遊技領域が設定されており、この遊技領域の周縁には、発射装置から発射された遊技球を、遊技盤５の盤面の上方（左側上部）に導くための略円弧状のガイドレール（図示しない）が配設されている。発射装置により発射された遊技球は、ガイドレールに導かれて遊技領域の上部へと導かれる。遊技領域には、多数本の障害釘（図示しない）が配設されており、遊技盤５の左側上部からガイドレールに沿って右斜め上方に向けて放たれた遊技球は、遊技盤５の盤面に沿って多数本の障害釘の間を通って流下していく。
【００２８】
遊技盤５の裏面５Ａには、たとえば当該遊技機８０における遊技内容を制御するための種々の制御基板が取り付けられている。遊技盤５の裏面には、当該遊技機８０全体の制御を司る主基板（基板）２１と、内枠３と遊技盤５とを接続するためのコネクタ群２４と、 遊技機８０の演出制御を司る演出制御基板２３と、遊技機８０に備えられる液晶表示機の液晶制御を司る液晶制御基板２２とが配設されている。主基板２１（図４参照）は、主基板ケース１に収容された状態で、遊技盤５の裏面に取り付けられている。この状態では、後述する第１〜第４破壊連結部４６〜４９（図６等参照）が遊技盤５の背面側（外方）から視認可能である。
【００２９】
図３は、主基板ケース１の構成を示す斜視図である。
主基板ケース１は、ベース体（第１ケース体）３０とカバー体（第２ケース体）１００とを備え、その全体形状が長手を有する扁平な略矩形状をなしている。ベース体３０およびカバー体１００は、これらを重ね合わせて互いに結合することが可能に設けられており、ベース体３０とカバー体１００との間に、主基板２１（基板。図４参照）が収容されるようになっている。主基板２１を収容し、かつベース体３０とカバー体１００とが結合された状態で、ベース体３０とカバー体１００とに跨って封印シール（図示しない。たとえばＩＣタグを一体的に備えたＩＣシール）が貼着される。主基板ケース１は、ベース体３０およびカバー体１００における封印シールが貼着された領域を覆うためのシールカバー（取付部材）２００を備えている。ベース体３０、カバー体１００およびシールカバー２００はそれぞれ透明に形成されており、そのため、主基板ケース１全体が透明に形成されている。
【００３０】
図３に示すように、主基板ケース１は、その幅方向が上下に沿いかつその長手方向が左右に沿うように、遊技盤５の裏側に取り付けられている。主基板ケース１は、ベース体３０が遊技盤５に取り付けられる。すなわち、主基板ケース１の取付け状態では、ベース体３０が前方に位置し、カバー体１００が後方に位置している。
以下の説明および図４以降の各図面では、主基板ケース１の封止操作時に上方になる方向（封止時上方）を「上方」とし、主基板ケース１の封止操作時に下方になる方向（封止時下方）を「下方」とする。
【００３１】
図４、図５Ａおよび図５Ｂはベース体３０の斜視図である。図６は、図５Ａに示す矢視VIから見た図である。図４は主基板２１を主基板ケース１内に取り付けた状態を示し、 図５Ａおよび図５Ｂは主基板２１を主基板ケース１から取り除いた状態を示している。
主基板２１は長手を有する矩形状をなしている。以下、主基板ケース１に取り付けられた主基板２１の長手方向の一方をＸ１方向とし、他方をＸ２方向とする。また、主基板２１の幅方向の一方をＹ１方向とし、他方をＹ２方向とする。主基板２１をベース体３０に取り付けた状態では、主基板２１の主面がベース体３０の次に述べるベース板（第１平板部）３１と平行をなしている。
【００３２】
主基板２１の一方主面（図４に示す上面）には、ＣＰＵ、ＲＯＭ、ＲＡＭ等の電子部品２５やコネクタ２６，２７等が実装されている。
図５Ａおよび図５Ｂに示すように、ベース体３０は、長手を有する略矩形の略平板状をなすベース板３１と、ベース板３１の長手方向の一端辺（Ｘ１方向側の端辺。図５Ａに示す左奥側端辺）から垂直に立ち上がるベース体側壁（第１壁）３２と、ベース板３１の周端縁における当該一端辺を除く部分に設けられたコ字状の枠体３３とを有している。これらベース板３１、ベース体側壁３２および枠体３３は、透明樹脂材料（たとえばポリカーボネート(Polycarbonate)やＡＢＳ樹脂など ）を用いて一体的に形成されている。
【００３３】
枠体３３は、ベース板３１の長手方向の他端辺（Ｘ２方向側の端辺。図４および図５Ａに示す右手前側端辺）の全域から垂直に立ち上がるベース他端辺部３４と、ベース板３１の幅方向の一側辺（Ｙ１方向側の側辺。図４および図５Ａに示す右奥側の側辺）の全域から垂直に立ち上がるベース一側辺部３５と、ベース板３１の幅方向の他側辺（Ｙ２方向側の側辺。図４および図５Ａに示す左手前側の側辺）の全域から垂直に立ち上がるベース他側辺部３６とを備えている。主基板ケース１内に収容される主基板２１の周縁は、ベース体側壁３２の内面および枠体３３（各辺部３４〜３６）の内周壁に当接可能である。
【００３４】
ベース体側壁３２は、ベース板３１に強固に（離脱不能に）結合された結合側壁３７，３８，３９，１７と、これら結合側壁３７，３８，３９，１７に、容易に離脱可能に結合された離脱用側壁４０，４１とを備えている。この実施形態では、結合側壁３７，３８，３９および離脱用側壁４０，４１は、第１結合側壁３７，第１離脱用側壁４０，第２結合側壁３８，第２離脱用側壁４１，第３結合側壁３９の順で、Ｙ２方向に向けて並置されている。また、第４結合側壁１７は、第１および第３結合側壁３７，３９を互いにつなぐようにＹ１およびＹ２方向に沿って延びており、第１離脱用側壁４０、第２結合側壁および第２離脱用側壁４１を下方から支持している。
【００３５】
第１、第２および第３結合側壁３７，３８，３９はそれぞれ略矩形状をなしている。第１および第３結合側壁３７，３９はやや幅広に形成されているが、第２結合側壁３８の幅（Ｙ１およびＹ２方向に沿う方向の長さ）は極めて小幅であり、換言すると第２結合側壁３８は上下に延びる略角柱状をなしている。第１および第２離脱用側壁４０，４１はそれぞれ略矩形状をなしている。各離脱用側壁４０，４１の上端面は、第１、第２および第３結合側壁３７，３８，３９の上端面のそれぞれと同一の平面上にある。各離脱用側壁４０，４１の内面（Ｙ２方向側の面）は、第１、第２、第３および第４結合側壁３７，３８，３９，１７の内面のそれぞれと同一の平面上にある。各離脱用側壁４０，４１の外端縁（Ｙ１方向側の面）は、第１、第２、第３および第４結合側壁３７，３８，３９，１７の外端縁のそれぞれと揃っている。
【００３６】
第１結合側壁３７の内面には、略矩形の立て板状（上下に延びる）の第１立板（案内手段）４２が、第１結合側壁３７の他方側端縁（Ｙ２方向側の端縁）から内方（Ｘ２方向）に向けて突出形成されている。第１立板４２は第１結合側壁３７の略下半分の領域に形成されている。第１立板４２は、カバー体１００の後述する第１上下ガイド溝１４５（案内手段。図９等参照）に嵌合可能な形状および大きさに形成されている。第１結合側壁３７には、その上辺全域から、板状の突片８１がＸ１方向に向けて突出して形成されている。突片８１は、ベース板３１と平行な上面８２を有している。この上面８２は、第１結合側壁３７の上端面よりもやや上方に位置する面であり、後述するようにベース体３０とカバー体１００とが結合位置にある状態で、本体部１０２の底壁１０６の底面（上方の面）と面一をなしている（連続しておりかつ同一平面上にある）。
【００３７】
第２結合側壁３８の内面には、略矩形の立て板状（上下に延びる）の第２立板（案内手段）４３が内方（Ｘ２方向）に向けて突出形成されている。第２立板４３は第２結合側壁３８の略下半分の領域に形成されている。第２立板４３は、カバー体１００の後述する第２上下ガイド溝１４６（案内手段。図９等を参照）に嵌合可能な形状および大きさに形成されている。
【００３８】
第３結合側壁３９の内面には、略矩形の立て板状（上下に延びる）の第３立板（案内手段）４４が、第３結合側壁３９の一方側端縁（Ｙ１方向側の端縁）から内方（Ｘ２方向）に向けて突出して形成されている。第３立板４４は第３結合側壁３９の略下半分の領域に形成されている。第３立板４４は、カバー体１００の後述する第３上下ガイド溝１４７（図９等を参照）に嵌合可能な形状および大きさに形成されている。
【００３９】
第１離脱用側壁４０の周壁は、第１、第２および第４結合側壁３７，３８，１７のそれぞれと、小幅の第１離脱用溝４５を介して隔てられている。また、第２離脱用側壁４１の周壁は、第２、第３および第４結合側壁３８，３９，１７のそれぞれと、小幅の第２離脱用溝１８を介して隔てられている。
図６に示すように、第１離脱用側壁４０の上端一端縁（Ｙ１方向側の端縁）は、第１破壊連結部（第１破壊部）４６を介して第１結合側壁３７の上端他端縁（Ｙ２方向側の端縁）に連結されている。第１離脱用側壁４０の上端他端縁は、第２破壊連結部（第１破壊部）４７を介して第２結合側壁３８の上端一端縁に連結されている。第１離脱用側壁４０の下端一端縁は第３破壊連結部（第１破壊部）４８を介して、また第１離脱用側壁４０の下端他端縁は第４破壊連結部（第１破壊部）４９を介して、それぞれ第４結合側壁１７に連結されている。これら第１〜第４破壊連結部４６〜４９は、ニッパ等の切断工具により切断（破壊）可能な形状およびサイズに形成されており、たとえば小幅の直線状をなしている。また、これら第１〜第４破壊連結部４６〜４９は、図４、図５Ａおよび図５Ｂに示すように、第１および第２離脱用側壁４０，４１の外端縁や、第１、第２、第３および第４結合側壁３７，３８，３９，１７の外端縁よりも外方すなわちＸ１方向側に突出している（図４、図５Ａおよび図５Ｂでは、第１および第２破壊連結部４６，４７のみを図示。）。第１〜第４破壊連結部４６〜４９は、主基板ケース１の封止状態において主基板ケース１の外部に露出しており、そのため、第１〜第４破壊連結部４６〜４９を、主基板ケース１の外方から切断工具により容易に破壊することができる。
【００４０】
第１離脱用側壁４０の内面には、当該内面から内方（Ｘ２方向）に向けて突出する一対の第１ロック係合片５０，５０が設けられている。各第１ロック係合片５０は、第１離脱用側壁４０の内面から当該内面と直交する方向（Ｘ２方向）に延びる第１突出片５１と、第１突出片５１の先端部に形成された第１ロック係合爪５２とを備えている。一対の第１突出片５１はそれぞれ平行に延びている。一方の第１ロック係合爪５２（Ｙ１方向側の第１ロック係合爪５２）は、後述する第１係合凹所１２４（図９参照）の一側辺（Ｙ１方向側の側辺）に係合するためのものである。他方の第１ロック係合爪５２（Ｙ２方向側の第１ロック係合爪５２）は、第１係合凹所１２４の他側辺（Ｙ２方向側の側辺）に係合するためのものである。各第１ロック係合片５０は第１離脱用側壁４０と一体的に設けられている。
【００４１】
図６に示すように、第２離脱用側壁４１の上端一端縁（Ｙ１方向の端縁）は、第５破壊連結部（第２破壊部）５３を介して第２結合側壁３８の上端他端縁（Ｙ２方向の端縁）に連結されている。第２離脱用側壁４１の上端他端縁は、第６破壊連結部（第２破壊部）５４を介して第３結合側壁３９の上端一端縁に連結されている。第２離脱用側壁４１の下端一端縁は第７破壊連結部（第２破壊部）５５を介して、また第２離脱用側壁４１の下端他端縁は第８破壊連結部（第２破壊部）５６を介して、それぞれ第４結合側壁１７に連結されている。これら第５〜第８破壊連結部５３〜５６は、ニッパ等の切断工具により切断（破壊）可能な形状およびサイズに形成されており、たとえば小幅の直線状をなしている。また、これら第５〜第８破壊連結部５３〜５６は、図４、図５Ａおよび図５Ｂに示すように、第１および第２離脱用側壁４０，４１の外端縁や、第１、第２、第３および第４結合側壁３７，３８，３９，１７の外端縁よりも外方すなわちＸ１方向側に突出している（図４、図５Ａおよび図５Ｂでは、第５および第６破壊連結部５３，５４のみを図示。）。第５〜第８破壊連結部５３〜５６は、主基板ケース１の封止状態において主基板ケース１の外部に露出しており、そのため、第５〜第８破壊連結部５３〜５６を、主基板ケース１の外方から切断工具により容易に破壊することができる。
【００４２】
第２離脱用側壁４１の内面には、当該内面から内方（Ｘ２方向）に向けて突出する一対の第２ロック係合片６０，６０が設けられている。各第２ロック係合片６０は、第２離脱用側壁４１の内面から当該内面と直交する方向（Ｘ２方向）に延びる第２突出片６１と、第２突出片６１の先端部に形成された第２ロック係合爪６２とを備えている。一対の第２突出片６１はそれぞれ平行に延びている。一方の第２ロック係合爪６２（Ｙ１方向側の第２ロック係合爪６２）は、後述する第２係合凹所１７４（図１０等参照）の一側辺（Ｙ１方向側の側辺）に係合するためのものである。他方の第２ロック係合爪６２（Ｙ２方向側の第２ロック係合爪６２）は、第２係合凹所１７４の他側辺（Ｙ２方向側の側辺）に係合するためのものである。各第２ロック係合片６０は、第２離脱用側壁４１と一体的に設けられている。なお、この実施形態では、前述のように第１および第２ロック係合片５０，６０はそれぞれ同一の諸元を有している。そのため突出片５１，６１ならびにロック係合爪５２、６２の形状および大きさはそれぞれ等しくされている。しかしながら、第１および第２ロック係合片５０，６０の諸元を互いに異ならせてもようにしてもよい。
【００４３】
ベース体側壁３２には、第１結合側壁３７の一方側（Ｙ１方向側）に隣接してＬ字嵌合板（案内手段）５７が形成されている。Ｌ字嵌合板５７は、第１結合側壁３７の一端縁（Ｙ１方向側の端縁）から内方（Ｘ２方向）に向けて突出する矩形の嵌合立板５８と、嵌合立板５８の下端につながって、当該嵌合立板５８および第１結合側壁３７の双方に直交して延びる嵌合横板５９とを備えている。Ｌ字嵌合板５７は、カバー体１００がベース体３０に対しては結合位置にあるときに、後述するＬ字嵌合溝１４８（図９参照）と係合する。
【００４４】
ベース一側辺部３５およびベース他側辺部３６の上端面のＸ１およびＸ２方向に沿う方向の略中央部には、それぞれ、カバー体１００をベース体３０に対して予め定める嵌合位置（第２位置）に位置決めするための第１位置決め用凹所（位置決め手段）６３，６３が形成されている。各第１位置決め用凹所６３には、カバー体１００の後述する第１係合突条１５５が嵌合可能である。また、各第１位置決め用凹所６３に関連して、当該第１位置決め用凹所６３によって嵌合位置に位置決めされたカバー体１００を、カバー体１００がＸ１およびＸ２方向に沿う方向に沿ってスライド移動可能に案内するための第１案内用凹所６４が設けられている。各第１案内用凹所６４は、対応する第１位置決め用凹所６３に連通し、当該第１位置決め用凹所６３の途中部からＸ１方向に向けて、Ｘ１およびＸ２方向に沿う方向（ベース板３１の主面に平行な方向）に延びる直線状の溝である。各第１案内用凹所（案内手段）６４は、対応する第１係合突条１５５（図７Ａ、図７Ｂおよび図８参照）との嵌合により、カバー体１００がＸ１およびＸ２方向に沿ってスライド移動するように当該カバー体１００の動きを規制する。
【００４５】
ベース一側辺部３５およびベース他側辺部３６の上端面における他端縁（Ｘ２方向側の端縁）よりもややＸ１方向寄りの位置には、それぞれ、カバー体１００をベース体３０に対して嵌合位置に位置決めするための第２位置決め用凹所（位置決め手段）６５，６５が形成されている。各第２位置決め用凹所６５には、カバー体１００の後述する第２係合突条１５６（図７Ａ、図７Ｂおよび図８参照）が嵌合可能である。また、各第２位置決め用凹所６５に関連して、当該第２位置決め用凹所６５によって嵌合位置に位置決めされたカバー体１００を、当該カバー体１００がＸ１およびＸ２方向に沿ってスライド移動可能に案内するための第２案内用凹所（案内手段）６６が設けられている。各第２案内用凹所６６は、対応する第２位置決め用凹所６５に連通し、当該第２位置決め用凹所６５の途中部からＸ１方向に向けて、Ｘ１およびＸ２方向に沿う方向に延びる直線状の溝である。各第２案内用凹所６６は、対応する第２係合突条１５６との嵌合により、カバー体１００がＸ１およびＸ２方向に沿って移動するように当該カバー体１００の動きを規制する。
【００４６】
ベース一側辺部３５およびベース他側辺部３６の他端縁（Ｘ２方向側の端縁）には、嵌合位置に位置決めされたカバー体１００を、当該カバー体１００がＸ１およびＸ２方向に沿ってスライド移動可能に案内するための第３案内用凹所（案内手段）６７，６７がそれぞれ設けられている。各第３案内用凹所６７は、ベース一側辺部３５の他方側Ｘ２端縁の途中部からＸ１方向に向けて、Ｘ１およびＸ２方向に沿う方向に延びる直線状の切込みである。各第３案内用凹所６７は、カバー体１００の後述する第３係合突条１５７（図７Ａ、図７Ｂおよび図８参照）との嵌合により、カバー体１００がＸ１およびＸ２方向に沿ってスライド移動するように当該カバー体１００の動きを規制する。
【００４７】
ベース一側辺部３５における第１位置決め用凹所６３と第２位置決め用凹所６５との間には、矩形状の干渉片（取付阻止手段）６８がベース一側辺部３５から延出して形成されている。
ベース他側辺部３６の一端縁（Ｘ１方向側の端縁）には、ベース体側壁３２の上端面と連なる上端面を有し、ベース他側辺部３６の上端面よりも上方に張り出す略矩形状の張出片６９が形成されている。張出片６９には、カバー体１００を、当該カバー体１００がＸ１およびＸ２方向に沿ってスライド移動可能に案内するための第４案内用凹所（案内手段）７０が設けられている。第４案内用凹所７０は、張出片６９の他辺（Ｘ２方向側の辺）からＸ１方向に向けて、Ｘ１およびＸ２方向に沿う方向に延びる直線状の切込みである。第４案内用凹所７０は、カバー体１００の後述する第４係合突条１５８（図７Ｂ参照）との嵌合により、カバー体１００がＸ１およびＸ２方向に沿ってスライド移動するように当該カバー体１００の動きを規制する。
【００４８】
図５Ａおよび図５Ｂに示すように、ベース板３１の一側辺（Ｙ１方向側の側辺）および他側辺（Ｙ２方向側の側辺）の周辺には、それぞれ、当該一側辺および当該他側辺と所定の間隔（小間隔）を隔てて、ベース板３１の当該一側辺および当該他側辺に沿って延びるガイドレール７１，７１，７２，７２が設けられている。ガイドレール７１，７１，７２，７２は、他端縁（Ｘ２方向側の端縁）よりもややＸ１方向側の位置から、Ｘ１およびＸ２方向に沿う方向の略中央部にわたって形成された第１ガイドレール（案内手段）７１，７１と、一端部（Ｘ１方向側の端部）に形成されたれた第２ガイドレール（案内手段）７２，７２とを備えている。ガイドレール７１，７２とベース一側辺部３５およびベース他側辺部３６との間には、それぞれ小幅の空間領域が区画されており、ベース体３０とカバー体１００とが嵌合された状態で、カバー体１００のカバー一側辺部１５３およびカバー体１００のカバー他側辺部１５４が、それぞれ当該空間領域に嵌合するようになっている。また、第１および第２ガイドレール７１，７２は、カバー一側辺部１５３およびカバー他側辺部１５４との嵌合（係合）により、カバー体１００を、当該カバー体１００がＸ１およびＸ２方向に沿ってスライド移動するように当該カバー体１００の動きを規制する。
【００４９】
ベース他端辺部３４には、ベース他端辺部３４の他端縁（Ｘ２方向の端縁）からＸ２方向に向けて突出する嵌合突起７３が形成されている。この嵌合突起７３は、ベース他端辺部３４の幅方向Ｙ１，Ｙ２の中央位置に形成されており、カバー体１００の嵌合凹所１１３（図７Ａ、図７Ｂおよび図８参照）に嵌合可能である。
図７Ａ、図７Ｂおよび図８はカバー体１００の斜視図である。図７Ａおよび図７Ｂは、後述するスペーサ１７０をスペーサ装着部（装着位置）１２６に取り付けた（装着した）状態を示し、図８はスペーサ１７０をスペーサ収納部１２７に取り付けた（収納した）状態を示している。図９は図８に示す矢視IXから見た図である。図７Ａ〜図９を参照しつつカバー体１００について説明する。
【００５０】
カバー体１００は、下部開口１０１を有する略箱状の本体部１０２と、本体部１０２の下端縁から、本体部１０２の下面（下部開口１０１が形成された面）に沿って延びる第１および第２下面板部１０３，１０４と、カバー装着部１０５とを備えている。これら本体部１０２、第１および第２下面板部１０３，１０４、ならびにカバー装着部１０５は、透明樹脂材料（たとえばポリカーボネート(Polycarbonate)やＡＢＳ樹脂など ）を用いて一体的に形成されている。
【００５１】
本体部１０２は、長手を有する略矩形の平板状をなす底壁（第２平板部）１０６と、底壁１０６の長手方向の一端辺（Ｘ１方向の端辺。図７Ａに示す左奥側端辺）から垂直に垂れ下がるカバー体側壁（第２壁）１０７と、底壁１０６の長手方向の他端辺から垂直に垂れ下がる他端壁１０８（図７Ｂ参照）と、底壁１０６の幅方向の一側辺（Ｙ１方向の側辺。図７Ｂに示す左奥側端辺 ）から垂直に垂れ下がる一側壁１０９（図７Ｂ参照）と、底壁１０６の幅方向の他側辺（Ｙ２方向の側辺。図７Ｂに示す右手前側端辺 ）から垂直に垂れ下がる他側壁１１０とを備えている。底壁１０６の前記の他側辺におけるＸ１およびＸ２方向に沿う方向の中央部には、底壁１０６と他側壁１１０とに跨って形成された凹部１１１が形成されている。底壁１０６におけるＸ１方向側半分の領域には、主基板２１の電子部品２５（図４参照。）などから発生する熱を逃がすための放熱用の貫通小孔が多数個形成されている。ベース体３０とカバー体１００との結合状態（封止状態）では、底壁１０６の壁面がベース体３０のベース板３１と平行をなしている。
【００５２】
第１下面板部１０３は、カバー体１００の他端部（Ｘ２方向側の端部）を構成しており、他端壁１０８の下端縁から底壁１０６と平行に延びている。第１下面板部１０３の他端辺（Ｘ２方向側の端辺。すなわち、カバー体１００のＸ２方向側の端辺）には、下方に向けて突出する突片１１２が設けられている。この突片１１２には、カバー体１００が結合位置にあるときに、ベース体３０の嵌合突起７３と係合することができる矩形状の嵌合凹所（嵌合孔）１１３が形成されている。また、第１下面板部１０３には、主基板２１のコネクタ２６（図４参照）を主基板ケース１外に露出させるための第１コネクタ孔１１４が１または複数個形成されている。
【００５３】
第２下面板部１０４は、カバー体１００の一側辺部（Ｙ１方向側の側辺部）における一端縁（Ｘ１方向側端縁）から略中央部にわたる領域を構成しており、本体部１０２の一側壁１０９ の下端縁から底壁１０６と平行に延びている。第２下面板部１０４には、主基板２１のコネクタ２７（図４参照）を主基板ケース１外に露出させるための第２コネクタ孔１１５が１個または複数個形成されている。
【００５４】
カバー装着部１０５は、一側壁１０９に隣接して本体部１０２よりもＹ１方向側に配置されている。具体的には、カバー装着部１０５は、Ｘ１およびＸ２方向に沿う方向に関して、第１下面板部１０３と第２下面板部１０４との間に位置している。カバー装着部１０５は、底壁１０６の壁面と略同一平面上に配置された略矩形の上面部１１６（図１７および図１８も併せて参照）と、上面部１１６の一側辺（Ｙ１方向側の側辺。カバー体１００の一側辺）から垂直に垂れ下がる側面部１１７と、上面部１１６および側面部１１７の両端部にそれぞれ設けられ、上面部１１６および側面部１１７の双方に直交する第１および第２端面部１１８，１１９とを備えている。
【００５５】
ベース体３０とカバー体１００との結合状態では、カバー装着部１０５の側面部１１７がベース体３０の干渉片６８（図５Ａ等参照）によって覆われる。また、シールカバー２００（図３参照）をカバー装着部１０５に（上面部１１６および干渉片６８に）装着した状態では、上面部１１６が上面壁２０１（図１１等参照）によって覆われ、第１端面部１１８が第１端面壁２０３（図１１参照）によって覆われ、第２端面部１１９が第２端面壁２０４（図１１参照）によって覆われる。
【００５６】
カバー体１００とベース体３０とが重ね合わされた状態であっても、両者の相対位置が結合位置（第１位置）にないときには、干渉片６８の一端辺（Ｘ１方向側の端辺）６８Ａおよび他端辺（Ｘ２方向側の端辺）６８Ｂが、カバー体１００の後述するカバー装着部（取付阻止手段）１０５の一端辺（Ｘ１方向側の端辺）１０５Ａ（図１７ 等参照）および他端辺（Ｘ２方向側の端辺）１０５Ｂ（図１７ 等参照）とそれぞれ揃わない。そのため、カバー体１００とベース体３０との相対位置が結合位置にないときには、干渉片６８が邪魔になって、カバー装着部１０５にシールカバー２００を装着することができない。
【００５７】
第１端面部１１８の上端部には、立方体形状を有する一対の第１位置決め突起１２０，１２０（図７Ａ〜図９には図示しない。図１７、図１８および図２０（ａ）参照）が、Ｙ１およびＹ２方向に沿う方向に間隔を隔てて設けられている。シールカバー２００をカバー装着部１０５に装着した状態では、一対の第１位置決め突起１２０，１２０の先端面が、シールカバー２００の第１端面壁２０３（図１１等参照）の内面と当接して、シールカバー２００のＸ１およびＸ２方向に沿う方向の位置決めを行う。また、この一対の第１位置決め突起１２０，１２０は、第３ロック係合片（カバー係合用ロック係合片）２０５（図１１等参照）、第１規制部２１２（図１１等参照）および第２規制部２１３（図１１等参照）と係合して、シールカバー２００のＹ１およびＹ２方向に沿う方向の位置決めを行う。また、一対の第１位置決め突起１２０，１２０は、これら第３ロック係合片２０５、第１規制部２１２および第２規制部２１３と係合して、シールカバー２００を上下方向にスライド移動するように案内する。第１端面部１１８の下端部には、後述する第３ロック係合片２０５の第３ロック係合爪２０７（図１５等参照）と嵌合するための第３係合凹所（カバー係合用係合凹所）１２１（図２０（ａ）も併せて参照）が形成されている。第３係合凹所１２１は、たとえばＹ１およびＹ２方向に沿って延びる矩形溝である。
【００５８】
第２端面部１１９の上端部には、立方体形状を有する一対の第２位置決め突起１２２，１２２（図１７、図１８および図２０（ａ）を併せて参照）が、Ｙ１およびＹ２方向に沿う方向に間隔を隔てて設けられている。シールカバー２００をカバー装着部１０５に装着した状態では、一対の第２位置決め突起１２２，１２２の先端面が、シールカバー２００の第２端面壁２０４（図１１等参照）の内面と当接して、シールカバー２００のＸ１およびＸ２方向に沿う方向の位置決めを行う。また、この一対の第２位置決め突起１２２，１２２は、第４ロック係合片（カバー係合用ロック係合片）２１５（図１１等参照）、第３規制部２２２（図１１等参照）および第４規制部２２３（図１１等参照）と係合して、シールカバー２００のＹ１およびＹ２方向に沿う方向の位置決めを行う。また、一対の第２位置決め突起１２２，１２２は、これら第４ロック係合片２１５、第３規制部２２２および第４規制部２２３と係合して、シールカバー２００を上下方向にスライド移動するように案内する。第２端面部１１９の下端部には、後述する第４ロック係合片２１５の第４ロック係合爪２１７（図１５等参照）と嵌合するための第４係合凹所（カバー係合用係合凹所）１２３（図１７、図１８および図２０（ａ）も併せて参照）が形成されている。第４係合凹所１２３は、たとえばＹ１およびＹ２方向に沿って延びる矩形溝である。
【００５９】
図７Ａ〜図９に示すように、カバー体側壁１０７には、第１係合凹所１２４および通過用凹所１２５が横方向（Ｙ１およびＹ２方向に沿う方向）に並んで形成されている。第１係合凹所１２４および通過用凹所１２５は、それぞれ上下方向に沿う側辺を有する矩形孔であり、それぞれ当該カバー体側壁１０７の内外面を貫通している。
カバー体側壁１０７における、カバー体１００とベース体３０との相対位置が嵌合位置である状態で一対の第１ロック係合片５０，５０（図５Ａおよび図５Ｂ等参照）に対向する部分に、第１係合凹所１２４が形成されている。第１係合凹所１２４の上下幅は各第１ロック係合爪５２（図５Ａおよび図５Ｂ等参照）の上下幅よりもやや大きく設定されているとともに、第１係合凹所１２４の横幅（Ｙ１およびＹ２方向に沿う方向の幅）が一対の第１ロック係合爪５２の外端縁同士の幅（Ｙ１およびＹ２方向に沿う方向の幅）よりもやや狭く設定されている。そのため、第１係合凹所１２４の各側辺に、対応する第１ロック係合片５０の第１ロック係合爪５２が噛み込み、これにより、一対の第１ロック係合片５０が第１係合凹所１２４にロック係合するようになっている。
【００６０】
カバー体側壁１０７における、カバー体１００とベース体３０との相対位置が嵌合位置である状態で一対の第２ロック係合片６０，６０（図５Ａおよび図５Ｂ等参照）に対向する部分に、通過用凹所１２５が形成されている。通過用凹所１２５の上下幅は各第２ロック係合爪６２（図５Ａおよび図５Ｂ等参照）の上下幅よりもやや大きく設定されているとともに、通過用凹所１２５の横幅が一対の第２ロック係合爪６２の外端縁同士の幅よりもやや大きく設定されている。そのため、第２ロック係合片６０は通過用凹所１２５に係合せず、通過用凹所１２５を通過する。
【００６１】
カバー体側壁１０７の内面側には、スペーサ１７０を取り付ける（装着する）ことができるスペーサ装着部１２６と、スペーサ装着部１２６から離脱されているスペーサ１７０を取り付ける（収納する）ためのスペーサ収納部１２７とが設けられている。スペーサ１７０は後述するように第２係合凹所１７４（図１０参照）を有している。スペーサ１７０をスペーサ装着部１２６に取り付けた状態で、第２ロック係合片６０を通過用凹所１２５に挿通させると、第２ロック係合片６０が第２係合凹所１７４にロック係合するようになっている。スペーサ１７０は主基板ケース１の第２回目の封止の際にだけ使用されるようになっており、スペーサ１７０を使用しない第１回目の封止の際には、スペーサ１７０をスペーサ収納部１２７に収納しておく。
【００６２】
底壁１０６には、カバー体側壁１０７の内面に対向して、カバー体側壁１０７と平行に延びる仕切り壁１２８が設けられている。第１係合凹所１２４に係合状態にある第１ロック係合片５０、第２係合凹所１７４に係合状態にある第２ロック係合片６０、または通過用凹所１２５に挿通状態にある第２ロック係合片６０と仕切り壁１２８とが干渉しないように、仕切り壁１２８の下端辺には矩形の切欠き１２９が１または複数形成されている。
【００６３】
スペーサ装着部１２６は、装着対象のスペーサ１７０の後述する主板部１７１（図１０参照）の上端部を、Ｘ１およびＸ２方向に沿う方向への移動、ならびにＹ１およびＹ２方向に沿う方向への移動の双方を規制しつつ収容する第１スペーサ収容部１３２を備えている。また、スペーサ装着部１２６は、装着対象のスペーサ１７０の立上部１７３（図１０参照）と係合する第１スペーサ係合凹所１３４を備えている。第１スペーサ係合凹所１３４は、カバー体側壁１０７の内面における通過用凹所１２５の直下位置に形成されている。具体的には、通過用凹所１２５の直下位置におけるカバー体側壁１０７の内面には、内方に向けて突出する第１支持用突起１３５が形成されており、その第１支持用突起１３５の下面に、上下方向に延びる第１スペーサ係合凹所１３４が形成されている。第１スペーサ係合凹所１３４は、図７Ｂに示すように通過用凹所１２５の上面と第１支持用突起１３５の下面とを貫通する貫通孔であってもよいし、また、溝であってもよい。
【００６４】
スペーサ収納部１２７は、収納対象のスペーサ１７０の主板部１７１の上端部を、Ｘ１およびＸ２方向に沿う方向への移動、ならびにＹ１およびＹ２方向に沿う方向への移動の双方を規制しつつ収容する第２スペーサ収容部１３８を備えている。また、スペーサ収納部１２７は、収納対象のスペーサ１７０の立上部１７３と係合する第２スペーサ係合凹所１４１を備えている。
【００６５】
図７Ａ〜図９に示すように、カバー体側壁１０７の内面には、それぞれ上下に伸びる第１、第２および第３角柱１４２，１４３，１４４が、この順で、カバー体側壁１０７の一端縁（Ｙ１方向側の端縁）から他端縁（Ｙ２方向側の端縁）に向けて順に並置されている。第１角柱１４２は、スペーサ収納部１２７が形成される部分と、第１係合凹所１２４との間の所定位置に設けられている。第１角柱１４２の外面には、第１立板４２に嵌合するための第１上下ガイド溝１４５（図９参照）が上下に延びるように形成されている。第２角柱１４３は、第１係合凹所１２４と通過用凹所１２５との間の所定位置に設けられている。第２角柱１４３の外面には、第２立板４３に嵌合するための第２上下ガイド溝１４６（図９参照）が上下に延びるように形成されている。第３角柱１４４は、通過用凹所１２５よりも他方側（Ｙ２方向側）の所定位置に設けられている。第３角柱１４４の外面には、第３立板４４に嵌合するための第３上下ガイド溝１４７（案内手段。図９参照）が上下に延びるように形成されている。
【００６６】
図９に示すように、ベース体側壁３２の外面における一端縁（Ｙ１方向側の端縁）には、Ｌ字嵌合板５７と嵌合するためのＬ字嵌合溝（案内手段）１４８が形成されている。Ｌ字嵌合溝１４８は、第１結合側壁３７の一端縁（Ｙ１方向側の端縁）に当該一端縁に沿って形成される第１嵌合溝１４９と、第１嵌合溝１４９の下端につながって、Ｙ１およびＹ２方向に沿って延びる第２嵌合溝１５０とを備えている。
【００６７】
図７Ａ、図７Ｂおよび図８に示すように、カバー体１００の下端部は、カバー体１００の一側辺（Ｙ１方向側の側辺）に沿って延びるカバー一側辺部（案内手段）１５３と、カバー体１００の他側辺（Ｙ２方向側の側辺）に沿って延びるカバー他側辺部（案内手段）１５４とを備えている。カバー一側辺部１５３は、カバー装着部１０５の側面部１１７に連なるように形成されており、カバー他側辺部１５４は、他側壁１１０に連なるように形成されている。ベース体３０とカバー体１００との結合状態で（カバー体１００がベース体３０に対して結合位置にある状態で）、ベース板３１はカバー体１００の下面を閉塞する。また、この状態で、ベース体側壁３２はカバー体側壁１０７の外側に嵌合し、干渉片６８はカバー装着部１０５の外側に嵌合する。さらに、ベース体３０のベース一側辺部３５は、カバー一側辺部１５３の外側に嵌合し、ベース体３０のベース他側辺部３６は、カバー他側辺部１５４の外側に嵌合する。
【００６８】
カバー一側辺部１５３の外面およびカバー他側辺部１５４の外面には、それぞれ、第１係合突条（案内手段）１５５、第２係合突条（案内手段）１５６および第３係合突条（案内手段）１５７が形成されている。他側壁１１０の外面には第４係合突条１５８が形成されている。第１、第２、第３および第４係合突条１５５，１５６，１５７，１５８は、Ｘ１およびＸ２方向に沿って（かつ底壁１０６に沿って）直線状に延びている。第１係合突条１５５は、カバー一側辺部１５３およびカバー他側辺部１５４における Ｘ１およびＸ２方向に沿う方向の略中央部に形成されている。第２係合突条１５６は、カバー一側辺部１５３およびカバー他側辺部１５４における 他端縁（Ｘ２方向側の端縁）よりもやや内方寄りの位置に形成されている。第３係合突条１５７は、カバー一側辺部１５３およびカバー他側辺部１５４の 他端部（Ｘ２方向側の端部）に形成されている。第４係合突条１５８は、他側壁１１０の一端部（Ｘ１方向側の端部）に形成されている。
【００６９】
カバー他端辺部１５２におけるＹ１およびＹ２方向に沿う方向の略中央部には、カバー他端辺部１５２の端縁から下方に向けて突片１１２が突出しており、この突片１１２には、ベース体３０の嵌合突起７３に嵌合するための嵌合凹所１１３が形成されている。カバー体１００がベース体３０に対して嵌合位置に位置決めされた状態では、ベース体３０の嵌合突起７３がカバー体１００の嵌合凹所１１３に嵌合する。
【００７０】
図１０は、図７Ａ、図７Ｂおよび図８に示すスペーサ１７０の構成を示す拡大斜視図である。
スペーサ１７０は、矩形板状をなす主板部１７１と、主板部１７１の上端に固定され、当該主板部１７１と直交するように（Ｘ１およびＸ２方向に沿って）延びる下板部１７２を備えている。下板部１７２のＹ１およびＹ２方向に沿う方向の各端部は主板部１７１のＹ１およびＹ２方向に沿う方向の端部と揃っている。スペーサ１７０は、下板部１７２の一端部（Ｘ１方向側の端部）から、主板部１７１と平行に立ち上がる立上部１７３を備えている。主板部１７１、下板部１７２および立上部１７３は、透明樹脂材料（たとえばポリカーボネート(Polycarbonate)やＡＢＳ樹脂など ）を用いて一体的に形成されている。
【００７１】
主板部１７１の中央部には第２係合凹所１７４が形成されている。第２係合凹所１７４は、それぞれ上下方向に沿う側辺を有する矩形孔であり、主板部１７１の内外面を貫通している。スペーサ１７０をスペーサ装着部１２６に取り付けた状態で、第２係合凹所１７４は、カバー体１００とベース体３０との相対位置が嵌合位置であると、一対の第２ロック係合片６０，６０（図５Ａおよび図５Ｂ等参照）と対向して配置される。第２係合凹所１７４の上下幅は各第２ロック係合爪６２の上下幅よりもやや大きく設定されているとともに、第２係合凹所１７４の横幅（Ｙ１およびＹ２方向に沿う方向の幅）が、一対の第２ロック係合爪６２の外端縁同士の幅（Ｙ１およびＹ２方向に沿う方向の幅）よりもやや狭く設定されている。そのため、第２係合凹所１７４の各側辺に、対応する第２ロック係合片６０の第２ロック係合爪６２が噛み込み、これにより、一対の第２ロック係合片６０が第１係合凹所１７４にロック係合するようになっている。
【００７２】
第２係合凹所１７４の貫通方向厚みは、第１係合凹所１２４の貫通方向厚みよりも薄くなるように設定されている。具体的には、第２係合凹所１７４の貫通方向厚みと、通過用凹所１２５の貫通方向厚みとを足し合わせた厚みが、第１係合凹所１２４の貫通方向厚みと略一致している。また、別の言葉で言うと、スペーサ１７０をスペーサ装着部１２６に取り付けた状態における、主板部１７１のＸ２方向側の面とカバー体側壁１０７の外面との間の間隔が、第１係合凹所１２４の貫通方向厚みと略一致している。
【００７３】
なお、この実施形態では、前述のように第１および第２ロック係合片５０，６０はそれぞれ同一の諸元を有しており、そのため、第２係合凹所１７４の上下および横方向幅は、第１係合凹所１２４と等しくされている。
図７Ａおよび図７Ｂに示すように、スペーサ１７０をスペーサ装着部１２６に取り付けるときには、 立上部１７３を第１スペーサ係合凹所１３４に差し込みつつ、主板部１７１の上端部を第１スペーサ収容部１３２に挿入する。スペーサ１７０の立上部１７３と第１スペーサ係合凹所１３４との係合により、スペーサ１７０の下端部のＸ１およびＸ２方向に沿う方向への移動、ならびにＹ１およびＹ２方向に沿う方向への移動の双方が規制される。また、第１スペーサ収容部１３２に収容されたスペーサ１７０の上端部は、Ｘ１およびＸ２方向に沿う方向への移動、ならびにＹ１およびＹ２方向に沿う方向への移動の双方が規制される。したがって、スペーサ装着部１２６に対するスペーサ１７０の装着状態においてスペーサ１７０ががたつかず、これにより、第２係合凹所１７４と第２ロック係合片６０との位置関係を良好に保つことができ、両者を確実に係合させることができる。
【００７４】
図１１は、シールカバー２００の斜視図である。図１２および図１３は、図１１に示す矢視XIIおよび矢視XIIIのそれぞれから見た図である。図１４、図１５および図１６は、図１２に示す切断面線XIV-XIV、切断面線XV-XVおよび切断面線XVI-XVIのそれぞれから見た断面図である。
シールカバー２００は、略直方体状をなす箱体から、他側方の側面（Ｙ２ 方向側の側面）および下面を取り除いた形状をなしている。このシールカバー２００は、Ｘ１，Ｘ２方向に沿って長手を有する略矩形状の上面壁２０１と、上面壁２０１の一側辺（Ｙ１方向側の側辺）から垂直に垂れ下がる略矩形状の側面壁２０２と、カバー装着部１０５の一方向（Ｘ１方向）側の端面を閉塞する略正方形状の第１端面壁２０３と、カバー装着部１０５の他方向（Ｘ２方向）側の端面を閉塞する略矩形状の第２端面壁２０４と、シールカバー２００を、ベース体３０およびカバー体１００に対し分離不能に結合するためにカバー装着部１０５の第３および第４係合凹所１２１，１２３とそれぞれ係合するための第３および第４ロック係合片２０５，２１５とを備えている。
【００７５】
上面壁２０１の他側辺（Ｘ２方向側の側辺）には、Ｘ２方向側の端部に、切欠き２０６が形成されている。第２端面壁２０４の他端面（Ｙ２方向側の端面）は、第１端面壁２０３の他端面（Ｙ２方向側の端面）よりも一方（Ｙ１方向）側に位置している。
図１２に示すように、上面壁２０１におけるＸ１およびＸ２方向に沿う方向の両端部（Ｘ１方向側の端部、およびＸ２方向側の端部）には、それぞれ第１および第２孔２０８，２１８が形成されている。第１および第２孔２０８，２１８は、Ｘ１およびＸ２方向に沿う側辺、ならびにＹ１およびＹ２方向に沿う側辺をそれぞれ有する矩形孔である。
【００７６】
図１５に示すように、第３ロック係合片２０５は、上面壁２０１における一端部（Ｘ１方向側の端部）から鉛直下方に向けて（第１端面壁２０３に沿って）垂れ下がる第３突出片２０６と、第３突出片２０６の先端部（下端部）に形成され、Ｘ２方向側に向けて突出する第３ロック係合爪２０７とを備えている。第３突出片２０６の上端は、第１孔２０８の略中央部に位置している。第３突出片２０６は、長手を有する幅狭の板状部材である。第３突出片２０６におけるＹ１およびＹ２方向に沿う方向の寸法は、一対の第１位置決め突起１２０，１２０（図１７、図１８および図２０（ａ）参照）の間隔と同等に設定されている。第３突出片２０６は第１端面壁２０３よりもＸ２方向側に、当該第１端面壁２０３の内面と間隔を隔てて設けられている。
【００７７】
図１２および図１３に示すように、第３ロック係合片２０５の上端は、複数個（たとえば３つ）の破壊連結部２０９，２１０，２１１を介して、上面壁２０１における第１孔２０８の３つの端辺のそれぞれに連結されている。具体的には、第３ロック係合片２０５は、第９、第１０および第１１破壊連結部（カバー用破壊部）２０９，２１０，２１１を介して、第１孔２０８のＹ１方向側の端辺、第１孔２０８のＸ１方向側の端辺、および第１孔２０８のＹ２方向側の端辺にそれぞれ連結されている。これら第９〜第１１破壊連結部２０９〜２１１は、ニッパ等の切断工具により切断（破壊）可能な形状およびサイズに形成されており、たとえば小幅の直線状をなしている。
【００７８】
シールカバー２００は、第１端面壁２０３よりもＸ２方向側に間隔を隔てて、第１端面壁２０３と平行な立て板状の第１および第２規制部２１２，２１３を備えている。第１および第２規制部２１２，２１３は、それぞれＹ１およびＹ２方向に沿う方向に関して、第３ロック係合片２０５（第３突出片２０６）と揃っている。第１規制部２１２は第３ロック係合片２０５よりもＹ１方向側に、第３ロック係合片２０５と間隔を隔てて設けられている。第２規制部２１３は第３ロック係合片２０５よりもＹ２方向側に、第３ロック係合片２０５と間隔を隔てて設けられている。
【００７９】
第１規制部２１２の他端縁（Ｙ２方向側の端縁）は直線状に上下に延びている。第３ロック係合片２０５の一端縁（Ｙ１方向側の端縁）と、第１規制部２１２の他端縁（Ｙ２方向側の端縁）とによって区画される凹所に、カバー装着部１０５の第１位置決め突起１２０（Ｙ１方向側の第１位置決め突起１２０）が嵌合可能である。第３ロック係合片２０５の他端縁（Ｙ２方向側の端縁）と、第２規制部２１３の一端縁（Ｙ１方向側の端縁）とによって区画される凹所に、カバー装着部１０５の第１位置決め突起１２０（Ｙ２方向側の第１位置決め突起１２０）が嵌合可能である。第１規制部２１２の他端縁（Ｙ２方向側の端縁）と第３ロック係合片２０５の一端縁（Ｙ１方向側の端縁）との間の間隔は、第１位置決め突起１２０におけるＹ１およびＹ２方向に沿う方向の寸法とほぼ一致するように設定されている。
【００８０】
第２規制部２１３の一端縁（Ｙ１方向側の端縁）は直線状に上下に延びている。第２規制部２１３の一端縁（Ｙ１方向側の端縁）と第３ロック係合片２０５の他端縁（Ｙ２方向側の端縁）との間の間隔は、第１位置決め突起１２０におけるＹ１およびＹ２方向に沿う方向の寸法とほぼ一致するように設定されている。第１規制部２１２および第３ロック係合片２０５と、カバー装着部１０５の第１位置決め突起１２０（Ｙ１方向側の第１位置決め突起１２０）との係合、ならびに第２規制部２１３および第３ロック係合片２０５と、カバー装着部１０５の第１位置決め突起１２０（Ｙ２方向側の第１位置決め突起１２０）との係合によって、シールカバー２００を、上下方向にスライドするように案内することができる。
【００８１】
なお、上面壁２０１、側面壁２０２、第１および第２端面壁２０３，２０４、第３および第４ロック係合片２０５，２１５、ならびに第１、第２、第３および第４規制部２１２，２１３，２２２，２２３は、透明樹脂材料（たとえばポリカーボネート(Polycarbonate)やＡＢＳ樹脂など ）を用いて一体的に形成されている。
図１５に示すように、第４ロック係合片（カバー係合用ロック係合片）２１５は、上面壁２０１における他端部（Ｘ２方向の端部）から鉛直下方に向けて（第２端面壁２０４に沿って）垂れ下がる第４突出片２１６と、第４突出片２１６の先端部（下端部）に形成され、Ｘ１方向に向けて突出する第４ロック係合爪２１７とを備えている。第４突出片２１６の上端は、第２孔２１８の略中央部に位置している。第４突出片２１６は、長手を有する幅狭の板状部材である。第４突出片２１６におけるＹ１およびＹ２方向に沿う方向の寸法は、一対の第２位置決め突起１２２，１２２（図１７、図１８および図２０（ａ）参照）の間隔と同等に設定されている。第４突出片２１６は第２端面壁２０４よりもＸ１方向側に、当該第２端面壁２０４の内面と間隔を隔てて設けられている。
【００８２】
図１２および図１３に示すように、第４ロック係合片２１５の上端は、複数個（たとえば３つ）の破壊連結部２１９，２２０，２２１を介して、上面壁２０１における第２孔２１８の３つの端辺のそれぞれに連結されている。具体的には、第４ロック係合片２１５は、第１２、第１３および第１４破壊連結部（カバー用破壊部）２１９，２２０，２２１を介して、第２孔２１８のＹ１方向側の端辺、第２孔２１８のＸ２方向側の端辺、および第２孔２１８のＹ２方向側の端辺にそれぞれ連結されている。これら第１２〜第１４破壊連結部２１９〜２２１は、ニッパ等の切断工具により切断（破壊）可能な形状およびサイズに形成されており、たとえば小幅の直線状をなしている。
【００８３】
シールカバー２００は、第２端面壁２０４よりもＸ１方向側に間隔を隔てて、第２端面壁２０４と平行な立て板状の第３規制部２２２を備えている。第３規制部２２２はＹ１およびＹ２方向に沿う方向に関して、第４ロック係合片２１５（第４突出片２１６）と揃っている。第３規制部２２２は第４ロック係合片２１５よりもＹ２方向側に、第４ロック係合片２１５と間隔を隔てて設けられている。
【００８４】
また、シールカバー２００は、第２端面壁２０４の他端縁（Ｙ２方向の端縁）から内方（Ｘ１方向側）に向けて突出する立て板状の第４規制部２２３を備えている。第４規制部２２３は側面壁２０２と平行をなし、その一端縁（Ｘ１方向側の端縁）はＹ１およびＹ２方向に沿う方向に関して、第４ロック係合片２１５（第４突出片２１６）と揃っている。第４規制部２２３は第４ロック係合片２１５よりもＹ２方向側に、第３ロック係合片２０５と間隔を隔てて設けられている。
【００８５】
第３規制部２２２の他端縁（Ｙ２方向側の端縁）は直線状に上下に延びている。第４ロック係合片２１５の一端縁（Ｙ１方向側の端縁）と、第３規制部２２２の他端縁（Ｙ２方向側の端縁）とによって区画される凹所に、カバー装着部１０５の第２位置決め突起１２２（Ｙ１方向側の第１位置決め突起１２０）が嵌合可能である。第４ロック係合片２１５の他端縁（Ｙ２方向側の端縁）と、第４規制部２２３の一端縁（Ｙ１方向側の端縁）とによって区画される凹所に、カバー装着部１０５の第２位置決め突起１２２（Ｙ２方向側の第２位置決め突起１２２）が嵌合可能である。第３規制部２２２の他端縁（Ｙ２方向側の端縁）と第４ロック係合片２１５の一端縁（Ｙ１方向側の端縁）との間の間隔は、第２位置決め突起１２２におけるＹ１およびＹ２方向に沿う方向の寸法とほぼ一致するように設定されている。
【００８６】
第４規制部２２３の一端縁（Ｙ１方向側の端縁）は直線状に上下に延びている。第４規制部２２３の一端縁（Ｙ１方向側の端縁）と第４ロック係合片２１５の他端縁（Ｙ２方向側の端縁）との間の間隔は、第２位置決め突起１２２におけるＹ１およびＹ２方向に沿う方向の寸法とほぼ一致するように設定されている。第３規制部２２２および第４ロック係合片２１５と、カバー装着部１０５の第２位置決め突起１２２（Ｙ１方向側の第２位置決め突起１２２）との係合、ならびに第４規制部２２３および第４ロック係合片２１５と、カバー装着部１０５の第２位置決め突起１２２（Ｙ２方向側の第２位置決め突起１２２）との係合によって、シールカバー２００を、上下方向にスライドするように案内することができる。
【００８７】
図１７は、ベース体３０およびカバー体１００の嵌合状態を示す斜視図である。図１８は、ベース体３０およびカバー体１００の結合状態（封止状態）を示す斜視図である。図１９は、主基板ケース１の第１回目の封止操作を示す要部断面図である。図１９（ａ）はベース体３０およびカバー体１００の嵌合状態を示し、図１９（ｂ）はベース体３０およびカバー体１００の結合状態を示している。図１７〜図１９を参照して、主基板ケース１の第１回目の封止操作を説明する。なお、ベース体３０およびカバー体１００の嵌合状態とは、ベース体３０およびカバー体１００が相対的に次に述べる嵌合位置にある状態を言い、ベース体３０およびカバー体１００の結合状態とは、ベース体３０およびカバー体１００が相対的に結合位置にある状態を言う。この主基板ケース１は、１回の再密封を実施可能な構成に設けられている。換言すると、主基板ケース１は、２回の封止操作を実施可能な構成に設けられている。
【００８８】
第１回目の封止操作の際には、図４に示すようにベース体３０に主基板２１を収容（セット）するとともに、 図８に示すようにスペーサ１７０をスペーサ収納部１２７に取り付けておく。
まず、カバー体１００を、図８に示す状態から反対向きにひっくり返し、カバー体１００およびベース体３０の次に述べる相対位置が嵌合位置になるように作業者が目視で位置合わせしながらカバー体１００およびベース体３０を上下に重ね合わせる。ベース体３０およびカバー体１００の相対位置が嵌合位置であると、ベース体３０とカバー体１００とが嵌合可能であり、両者が嵌合される。「嵌合位置」とは、ベース体３０とカバー体１００とがＹ１およびＹ２方向に沿う方向に関して揃っており、かつベース体３０とカバー体１００とがＸ１およびＸ２方向に沿う方向に関して所定量だけずれているようなベース体３０とカバー体１００との相対位置を言う。
【００８９】
この実施形態では、第１位置決め用凹所６３（図４、図５Ａおよび図５Ｂ参照）、第１係合突条１５５（図７Ａ、図７Ｂおよび図８参照）、第２位置決め用凹所６５（図４、図５Ａおよび図５Ｂ参照）および第２係合突条１５６（図７Ａ、図７Ｂおよび図８参照）がそれぞれ位置決め手段として機能している。ベース体３０およびカバー体１００が嵌合状態にあるときは、カバー体１００の第１係合突条１５５がベース体３０の第１位置決め用凹所６３にそれぞれ嵌合し、カバー体１００の第２係合突条１５６がベース体３０の第２位置決め用凹所６５にそれぞれ嵌合している。さらに、ベース体３０のベース一側辺部３５がカバー体１００のカバー一側辺部１５３（図７Ａ等参照）の外側に嵌合するとともに、ベース体３０のベース他側辺部３６がカバー体１００のカバー他側辺部１５４（図７Ａ等参照）の外側に嵌合する。以上の各嵌合により、ベース体３０およびカバー体１００が嵌合位置に位置決めされる。
【００９０】
ベース体３０およびカバー体１００の嵌合状態（図１７参照）では、第１および第２ロック係合片５０，６０（図４、図５Ａおよび図５Ｂを併せて参照）はそれぞれ第１係合凹所１２４および通過用凹所１２５（それぞれ、図７Ａおよび図７Ｂを併せて参照）に対向しているとともに、嵌合突起７３（図４等参照）が嵌合凹所１１３に対向している。また、第１、第２および第３立板４２，４３，４４（図４等を併せて参照）は、それぞれ第１、第２および第３上下ガイド溝１４５，１４６，１４７（図９等を併せて参照）に対向しており、Ｌ字嵌合板５７（図４等を併せて参照）がＬ字嵌合溝１４８（図９等参照を併せて参照）と対向している。さらに、ベース体側壁３２の内面がカバー体側壁１０７（図７Ａ等参照）の外面に対向している。
【００９１】
ベース体３０およびカバー体１００が嵌合位置に位置決めされている状態では、カバー体１００を結合位置に向けて（カバー体１００をＸ１方向に向けて、あるいはベース体３０をＸ２方向に向けて）Ｘ１およびＸ２方向に沿ってスライド移動させることができるようになっている。嵌合位置に位置決めされているカバー体１００を結合位置に向けてスライド移動させると、以下に示す種々の部材が互いに嵌合しつつカバー体１００が移動する。具体的には、第１係合突条１５５が第１案内用凹所６４にそれぞれ嵌合するとともに、第２係合突条１５６が第２案内用凹所６６にそれぞれ嵌合する。第３係合突条１５７が第３案内用凹所６７にそれぞれ嵌合するとともに、第４係合突条１５８が第４案内用凹所７０に嵌合する。また、第１、第２および第３立板４２，４３，４４が、それぞれ第１、第２および第３上下ガイド溝１４５，１４６，１４７に嵌合する。さらに、Ｌ字嵌合板５７がＬ字嵌合溝１４８に嵌合する。さらにまた、第１および第２ガイドレール７１，７２とベース一側辺部３５との間の領域、ならびに第１および第２ガイドレール７１，７２とベース他側辺部３６との間の領域には、それぞれカバー体１００のカバー一側辺部１５３（図７Ａ等参照）およびカバー他側辺部１５４（図７Ａ等参照）が嵌合する。換言すると、カバー体１００は、これらの部材４２，４３，４４，５７，６４，６６，６７，７０，１４５，１４６，１４７，１４８，１５３，１５４，１５５，１５６，１５７，１５８に案内されて、Ｘ１およびＸ２方向に沿って（ベース板３１と平行に）結合位置に向けてスライド移動させられる。
【００９２】
そして、カバー体１００のベース体３０に対するスライド変位により、カバー体側壁１０７がベース体側壁３２に接近させられる。そして、各第１ロック係合片５０が対応する第１係合凹所１２４内に挿通されて、第１ロック係合爪５２が後述する第１係合凹所１２４の両側辺に噛み合う。これにより、第１ロック係合片５０が第１係合凹所１２４にロック係合し、その結果、図１８および図１９（ｂ）に示すように、ベース体３０およびカバー体１００が互いに分離不能に結合される。また、前記のスライド変位では、スペーサ装着部１２６にスペーサ１７０が取り付けられておらず、そのため、第２ロック係合片６０は通過用凹所１２５には係合しない。また、ベース体３０およびカバー体１００の結合状態では、嵌合突起７３が嵌合凹所１１３に嵌合している。なお、この状態では、突片８１の上面８２が、本体部１０２の底壁１０６の底面（上方の面）と面一をなしている（連続しておりかつ同一平面上にある）。
【００９３】
次いで、図１８および図１９（ｂ）にあるベース体３０およびカバー体１００に対してシールカバー２００を装着する。カバー体１００およびベース板３１が結合状態にあると、図１８に示すように、干渉片６８の一端辺６８Ａおよび他端辺６８Ｂがカバー体１００の略箱状のカバー装着部１０５の一端縁および他端縁とそれぞれ揃っているとともに、干渉片６８の上辺１０５Ｃが、カバー装着部１０５の上面部１１６と揃っている。そのため、干渉片６８がシールカバー２００の装着の邪魔にならない。
【００９４】
図２０は、シールカバー２００の装着動作を示す要部断面図である。図２０（ａ）は、シールカバー２００の装着前の状態を示し、図２０（ｂ）は、シールカバー２００の装着後の状態を示している。
ベース体３０とカバー体１００との結合状態では、カバー装着部１０５の側面部１１７（図１７等参照）を覆うベース体３０の干渉片６８（図１７および図１８等参照）とカバー装着部１０５の上面部１１６とに跨って封印シール（図示しない）が貼着される。その後、カバー装着部１０５に（上面部１１６および干渉片６８に）シールカバー２００が装着される。カバー装着部１０５に対するシールカバー２００の装着は、カバー装着部１０５に（上面部１１６および干渉片６８に）対して上方からシールカバー２００を嵌め入れることにより行われる。
【００９５】
このとき、シールカバー２００の第１端面壁２０３およびカバー装着部１０５の第１端面部１１８に関連して、シールカバー２００の第３ロック係合片２０５が、カバー装着部１０５の一対の第１位置決め突起１２０，１２０の間に嵌合する。また、第１端面壁２０３に関連して、第３ロック係合片２０５と第１規制部２１２（図１１等参照）との間の凹所にカバー装着部１０５の第１位置決め突起１２０（Ｙ１方向側の第１位置決め突起１２０）が嵌合するとともに、第３ロック係合片２０５と第２規制部２１３（図１１等参照）との間の凹所にカバー装着部１０５の第１位置決め突起１２０（Ｙ２方向側の第１位置決め突起１２０）が嵌合する。
【００９６】
また、第２端面壁２０４およびカバー装着部１０５の第２端面部１１９に関連して、シールカバー２００の第４ロック係合片２１５が、カバー装着部１０５の一対の第２位置決め突起１２２，１２２の間に嵌合する。また、第２端面壁２０４に関連して、第４ロック係合片２１５と第３規制部２２２（図１１等参照）との間の凹所にカバー装着部１０５の第２位置決め突起１２２（Ｙ１方向側の第２位置決め突起１２２）が嵌合するとともに、第４ロック係合片２１５と第４規制部２２３（図１１等参照）との間の凹所にカバー装着部１０５の第２位置決め突起１２２（Ｙ２方向側の第２位置決め突起１２２）が嵌合する。シールカバー２００は、第１端面壁２０３、第１端面部１１８、第２端面壁２０４および第２端面部１１９に案内されて、下方に向けてスライド移動させられる。
【００９７】
そして、カバー装着部１０５に（上面部１１６および干渉片６８に）嵌めたシールカバー２００を下方にスライドさせると、第３ロック係合片２０５が第３係合凹所１２１にロック係合するとともに、第４ロック係合片２１５が第４係合凹所１２３にロック係合する。これにより、図３および図２０（ｂ）に示すように、シールカバー２００がカバー装着部１０５に（上面部１１６および干渉片６８に）互いに分離不能に結合（ロック結合）される。これにより、主基板ケース１が封止状態になり、その後に封止状態が維持される。
【００９８】
この場合、ベース体３０およびカバー体１００が互いにロック結合しているとともに、ベース体３０の干渉片６８およびカバー体１００の上面部１１６に対してシールカバー２００がロック結合している。換言すると、主基板ケース１の封止状態ではロック結合が２重に施されている。その結果、主基板ケース１の封止の信頼性を高く保つことができる。
また、ベース体３０およびカバー体１００が嵌合状態でないと、干渉片６８が邪魔になって、シールカバー２００をカバー装着部１０５に対して装着させることができない。そのため、ベース体３０およびカバー体１００にシールカバー２００が装着されていれば、ベース体３０およびカバー体１００が結合状態にあり、両者がロック結合されているということになる。したがって、主基板ケース１の封止の信頼性を、より一層高く保つことができる。
【００９９】
また、ベース体３０およびカバー体１００の相対位置が嵌合位置でないと、シールカバー２００を装着させることができないが、逆に言えば、カバー装着部１０５にシールカバー２００が装着されていれば、ベース体３０およびカバー体１００の相対位置が嵌合位置にある状態、すなわち両者がロック結合されている状態が保証されているということになる。したがって、主基板ケース１の封止の信頼性を、さらに一層高く保つことができる。
【０１００】
次に、図１７〜図２０を再度参照しつつ、検査等のために主基板ケース１を開封する場合について説明する。主基板ケース１を開封する際には、まず、シールカバー２００をカバー装着部１０５から（上面部１１６および干渉片６８から）取り外す。具体的には、第９〜第１１破壊連結部２０９〜２１１（図１２等参照）を切断工具（図示しない）で破壊し、第３係合凹所１２１とロック係合している第３ロック係合片２０５を、シールカバー２００の上面壁２０１から除去する（離脱させる）。また、第１２〜第１４破壊連結部２１９〜２２１（図１２等参照）を切断工具（図示しない）で破壊し、第４係合凹所１２３とロック係合している第４ロック係合片２１５を、シールカバー２００の上面壁２０１から除去する（離脱させる）。これにより、シールカバー２００のカバー装着部１０５に対する（上面部１１６および干渉片６８に対する）ロック結合が解除される。そして、シールカバー２００を上方にスライド移動させることにより、シールカバー２００をカバー装着部１０５から（上面部１１６および干渉片６８から）取り外すことができる。この状態では、第３および第４ロック係合片２０５，２１５は、カバー装着部１０５の第１および第２端面部１１８，１１９にそれぞれついたままの状態である。
【０１０１】
次いで、カバー体１００とベース体３０とを分離させる。具体的には、第１〜第４破壊連結部４６〜４９（図６参照）を切断工具で破壊し、第１係合凹所１２４とロック係合している第１ロック係合片５０，５０を第１離脱用側壁４０ごとベース体側壁３２から除去する（離脱させる）。
これにより、ベース体３０およびカバー体１００のロック結合が解除される。このとき、主基板ケース１は開封可能な状態になる。そして、カバー体１００が相対的に嵌合位置に向かうようにベース体３０およびカバー体１００に力を加えると、カバー装着部１０５とベース体３０の干渉片６８とに跨って貼着された封印シール（図示しない）が破れるとともに、カバー体１００が嵌合位置にスライド移動する。その後、カバー体１００をベース体３０に対して上方に移動させることにより、ベース体３０とカバー体１００とを分離させることができる。この状態では、第１ロック係合片５０，５０は第１離脱用側壁４０ごと、カバー体１００のカバー体側壁１０７についたままの状態である。
【０１０２】
図２１は、主基板ケース１の開封後におけるベース体３０を、図５Ａに示す矢視XXIから見た図である。ベース体３０が透明樹脂材料を用いて形成されているので、ベース体３０から第１ロック係合片５０を除去すると、第１〜第４破壊連結部４６〜４９（図６を併せて参照）には、その破断面が白く変色するなど、第１ロック係合片５０を除去した痕跡（図２１では、痕跡部分にハッチングを付して表している）が残存する。前述のように、主基板ケース１の遊技盤５の取付け状態で、第１〜第４破壊連結部４６〜４９が遊技盤５の背面側から視認可能に設けられている。また、前述のように、第１〜第４破壊連結部４６〜４９は、第１および第２離脱用側壁４０，４１の外端縁や、第１、第２、第３および第４結合側壁３７，３８，３９，１７の外端縁よりも外方すなわちＸ１方向側に突出している。そのため、作業者は遊技盤５の背面側から、第１〜第４破壊連結部４６〜４９に、第１ロック係合片５０を除去した痕跡があるか否かを確認することができる。これにより、第１ロック係合片５０が除去済みであるか否か、すなわち主基板ケース１が１回開封済みであるか否かを作業者が識別することができる。
【０１０３】
次に、主基板ケース１を再密封する場合について説明する。
主基板ケース１を再密封する際（第２回目の封止の際）には、図７Ａおよび図７Ｂに示すようにスペーサ１７０をスペーサ収納部１２７から取り出し、スペーサ装着部１２６に取り付けておく。図２２は、スペーサ１７０をスペーサ装着部１２６に取り付けた状態のカバー体１００を、図８に示す矢視IXから見た図である。
【０１０４】
そして、第１回目の封止操作の場合と同様、カバー体１００を、図７Ａ、図７Ｂおよび図８に示す状態から反対向きにひっくり返し、カバー体１００およびベース体３０の相対位置が嵌合位置になるように作業者が目視で位置合わせしながらカバー体１００およびベース体３０を上下に重ね合わせる。これにより、図１７に示すように、ベース体３０およびカバー体１００が嵌合位置に位置決めされる。
【０１０５】
図２３は、主基板ケース１の第２回目の封止操作を示す要部断面図であり、ベース体３０とカバー体１００との結合状態を示している。嵌合位置に位置決めされているカバー体１００を結合位置に向けてスライド移動させると、カバー体側壁１０７がベース体側壁３２に接近させられる。そして、各第２ロック係合片６０が対応する通過用凹所１２５および第２係合凹所１７４内に挿通されて、第２ロック係合爪６２が第２係合凹所１７４の両側辺に噛み合う。これにより、第２ロック係合片６０が第２係合凹所１７４にロック係合し、その結果、ベース体３０およびカバー体１００が互いに分離不能に結合（ロック結合）される。
【０１０６】
次いで、 カバー装着部１０５に（上面部１１６および干渉片６８に）シールカバー２００を取り付ける。カバー装着部１０５に対するシールカバー２００の取付けは、第１回目の封止操作の場合と同様、カバー装着部１０５に（上面部１１６および干渉片６８に）対して上方からシールカバー２００を嵌め入れることにより行われる。シールカバー２００をカバー装着部１０５に（上面部１１６および干渉片６８に）装着した状態では、上面壁２０１がカバー装着部１０５の上面壁２０１を被覆し、側面壁２０２が干渉片６８の外面を被覆し、第１端面壁２０３がカバー装着部１０５の第１端面部１１８を被覆し、第２端面壁２０４がカバー装着部１０５の第２端面部１１９を被覆する。これにより、主基板ケース１を再密封することができる。
【０１０７】
この２回目の封止（再密封）では、封印シール（図示しない）は破れたままであり、ベース体３０とカバー体１００との間は、封印シールによっては封止されていない。そして、前述のようにシールカバー２００は透明に形成されているので主基板ケース１外から、封印シールが破れているか否かを容易に視認することができる。これにより、主基板ケース１がまだ一度も開封されていない（１回目の封止状態である）のか、それとも一度開封済みである（２回目の封止状態である）のかを、作業者がシールカバー２００を開けることなく容易に把握することができる。
【０１０８】
カバー装着部１０５にシールカバー２００が装着されていることにより、ベース体３０およびカバー体１００の相対位置が嵌合位置にある状態、すなわち両者がロック結合されている状態であることが保証される。したがって、主基板ケース１の封止の信頼性を、さらに一層高く保つことができる。
主基板ケース１を再開封する際には、第５〜第８破壊連結部５３〜５６（図６参照）を破壊し、第２係合凹所１７４とロック係合している第２ロック係合片６０を第２離脱用側壁４１ごとベース体側壁３２から除去する（離脱させる）。これにより、ベース体３０およびカバー体１００のロック結合が解除され、主基板ケース１は開封可能な状態になる。そして、カバー体１００を嵌合位置に向けてスライド移動させた後、カバー体１００をベース体３０に対して上方に移動させることにより両者を分離させることができる。この状態では、第２ロック係合片６０，６０は第２離脱用側壁４１ごと、カバー体１００のカバー体側壁１０７についたままの状態である。
【０１０９】
以上のようにこの実施形態によれば、主基板ケース１の少なくとも１回の再密封を可能にしつつ、主基板ケース１の封止を簡単な操作手順で実現することができる。
また、主基板ケース１の２回の封止の双方において、ベース体３０およびカバー体１００をロック結合させることができる。これにより、封止の信頼性を高く保つことができる。
【０１１０】
さらに、主基板ケース１（カバー体１００）にスペーサ収納部１２７が設けられており、このスペーサ収納部１２７に、スペーサ装着部１２６から離脱させられているスペーサ１７０を収納しておくことができる。そのため、第１回目の封止操作中に、スペーサ１７０を基板ケースとは別に保管しておく必要がない。
以上、この発明の一実施形態について説明したが、この発明は他の形態で実施することもできる。
【０１１１】
たとえば、前述の説明では、主基板ケース１の封止操作（第１回目および第２回目の封止操作）の際に、まず主基板２１をベース体３０にセットし、主基板２１のセット後のベース体３０にカバー体１００を嵌め合わせて、両者を結合させる場合を取り上げた。
しかしながら、まず主基板２１をカバー体１００にセットし、主基板２１のセット後のカバー体１００にベース体３０を嵌め合わせて、両者を結合させるようにすることもできる。この場合、図４に示す状態は存在しないことになる。この場合における主基板２１の封止について具体的に説明する。
【０１１２】
まず、カバー体１００に主基板２１をねじ止めする。この場合、前述の主基板２１を先にベース体３０に取り付ける場合と同様、主基板２１の一方主面（図４に示す上面。電子部品２５やコネクタ２６，２７等が実装される主面）を、カバー体１００の底壁１０６に向けた状態で、主基板２１がカバー体１００にねじ止め固定される。
カバー体１００を主基板２１にねじ止めする際には、前述の主基板２１を先にベース体３０に取り付ける場合とは、封止作業時の上下方向が異なる。すなわち、カバー体１００を、図７Ａ、図７Ｂおよび図８に示す上方を封止時の上方とし、図７Ａ、図７Ｂおよび図８に状態にあるカバー体１００に対し、各図の上方から主基板２１を取り付ける。これにより、ねじ止め時の作業性を高めることができる。
【０１１３】
また、主基板２１の一方主面（図４に示す上面）をカバー体１００の底壁１０６に向けた状態で、主基板２１をカバー体１００にねじ止めする。そのため、カバー体１００への基板２１の取付け後には、主基板２１の一方主面に実装される電子部品２５やコネクタ２６，２７等が主基板２１本体によって覆われるようになる。したがって、封止作業の早い段階で電子部品２５やコネクタ２６，２７等の保護を図ることができ、これにより、カバー体１００とベース体３０との嵌め合わせや結合のための作業時に起因する、電子部品２５やコネクタ２６，２７等への影響を防止することができる。
【０１１４】
なお、主基板２１の固定後のカバー体１００は、様々な姿勢でベース体３０に嵌合・結合させることができる。たとえば、前述の主基板２１を先にベース体３０に取り付ける場合と同様、カバー体１００を、図７Ａ、図７Ｂおよび図８に示す状態から反転させた（反対向きにひっくり返した）状態で、ベース体３０に対する嵌合・結合を図ってもよいし、カバー体１００を図７Ａ、図７Ｂおよび図８に示す状態のまま、ベース体３０を図５Ａおよび図５Ｂに示す状態から反転させた状態で、カバー体１００とベース体３０との嵌合・結合を図ってもよい。
【０１１５】
また、さらに他の形態を実施することもできる。
たとえば、第１ロック係合片５０，５０が一対のロック係合片ではなく、一のロック係合片であってもよい。同様に、第２ロック係合片６０，６０も一対のロック係合片ではなく、一のロック係合片であってもよい。
また、シールカバー２００を、ベース体３０およびカバー体１００にロック結合可能な構成にしなくてもよい。すなわち、シールカバー２００を、互いに結合位置にあるベース体３０およびカバー体１００に対して取付け可能な構成に過ぎないものであってもよい。さらに、シールカバー２００を設けない構成とすることもできる。
【０１１６】
また、ベース体３０およびカバー体１００は、嵌合位置に位置決めする構成に限られない。嵌合位置に位置決めすることなく、嵌合位置と結合位置との間でベース体３０およびカバー体１００の少なくとも一方をスライド移動させるものであってもよい。
また、スペーサ収納部１２７は、カバー体１００ではなくベース体３０に設けることもできる。さらに、スペーサ収納部１２７をベース体３０およびカバー体１００のいずれにも設けないようにしてもよい。
【０１１７】
また、スペーサ１７０が所定の色（すなわち、透明色でない色）に着色されていてもよい。ベース体３０およびカバー体１００がいずれも透明に形成されているので、主基板ケース１外からスペーサ１７０を容易に視認することができ、スペーサ１７０が装着位置にあるか否かを、主基板ケース１を遊技盤５から取り外すことなく把握することができる。
また、主基板ケース１の封止状態（前述の結合状態を含む）において、ベース体３０とカバー体１００とが面一になる面一部分を設け、この部分に、ベース体３０とカバー体１００とに跨る刻印が、たとえばレーザーマーキングによって形成されていてもよい。たとえば、前述のように、ベース体３０およびカバー体１００の結合状態では、突片８１の上面８２と、本体部１０２の底壁１０６の底面と面一をなしている。この上面８２と底壁１０６の底面とに跨る部分を刻印箇所とし、当該箇所に刻印を施すことができる。
【０１１８】
この場合、ベース体３０（たとえば突片８１の上面８２）に形成される刻印と、カバー体１００（たとえば底壁１０６の底面）に形成される刻印とが割印として機能する。また、レーザーマーキングによって刻印が形成される場合、刻印のマーキングによって、ベース体３０とカバー体１００とを接合させてもよい。この場合、ベース体３０およびカバー体１００の接合と、刻印とを、併せて実現することができる。
【０１１９】
また、主基板ケース１（主基板２１）を、遊技盤５の背面に取り付ける構成を例に挙げて説明したが、主基板ケース１（主基板２１）を、遊技機８０の背面側の他の位置に取り付ける構成であってもよい。
さらに、前述の説明では、ベース体３０を下方に置き、その上方からカバー体１００を重ねる場合を例にとって説明した。しかしながら、ベース体３０に対するカバー体１００の取付けの態様は様々考慮することができる。すなわち、上方に置いたベース体３０にカバー体１００を重ねる構成であってもよいし、縦向き（ベース板３１が上下に沿うように）配置されたベース体３０にカバー体１００を重ねる構成であってもよい。
【０１２０】
また、前述の実施形態では、遊技機８０としてパチンコ機に適用した例を示したが、パチスロ機等の他の遊技機にも適用可能であることは言うまでもない。
その他、特許請求の範囲に記載された事項の範囲で種々の設計変更を施すことが可能である。
【符号の説明】
【０１２１】
１  主基板ケース（基板ケース）
３  内枠（遊技機本体）
５  遊技盤（遊技機本体）
２１  主基板（基板）
２４  第１係合凹所
３０  ベース体（第１ケース体）
３１  ベース板（第１平板部）
３２  ベース体側壁（第１壁）
４２  第１立板（案内手段）
４３  第２立板（案内手段）
４４  第３立板（案内手段）
４６  第１破壊連結部（第１破壊部）
４７  第２破壊連結部（第１破壊部）
４８  第３破壊連結部（第１破壊部）
４９  第４破壊連結部（第１破壊部）
５０  第１ロック係合片
５３  第５破壊連結部（第２破壊部）
５４  第６破壊連結部（第２破壊部）
５５  第７破壊連結部（第２破壊部）
５６  第８破壊連結部（第２破壊部）
５７  Ｌ字嵌合板（案内手段）
６０  第２ロック係合片
６３  第１位置決め用凹所（位置決め手段）
６４  第１案内用凹所（案内手段）
６５  第２位置決め用凹所（位置決め手段）
６６  第２案内用凹所（案内手段）
６７  第３案内用凹所（案内手段）
６８  干渉片（取付阻止手段）
７０  第４案内用凹所（案内手段）
７１  第１ガイドレール（案内手段）
７２  第２ガイドレール（案内手段）
８０  遊技機
１００  カバー体（第２ケース体）
１０５  カバー装着部（取付阻止手段）
１０６  底壁（第２平板部）
１０７  カバー体側壁（第２壁）
１０９  一側壁（案内手段）
１１０  他側壁（案内手段）
１２１  第３係合凹所（カバー係合用係合凹所）
１２３  第４係合凹所（カバー係合用係合凹所）
１２５  通過用凹所（通過用凹所）
１２６  スペーサ装着部（装着位置）
１２７  スペーサ収納部
１４５  第１上下ガイド溝（案内手段）
１４６  第２上下ガイド溝（案内手段）
１４７  第３上下ガイド溝（案内手段）
１４８  Ｌ字嵌合溝（案内手段）
１５３  カバー一側辺部（案内手段）
１５４  カバー他側辺部（案内手段）
１５５  第１係合突条（案内手段、位置決め手段）
１５６  第２係合突条（案内手段、位置決め手段）
１５７  第３係合突条（案内手段）
１５８  第４係合突条（案内手段）
１７０  スペーサ
２００  シールカバー（取付部材）
２０５  第３ロック係合片（カバー係合用ロック係合片）
２０９  第９破壊連結部（カバー用破壊部）
２１０  第１０破壊連結部（カバー用破壊部）
２１１  第１１破壊連結部（カバー用破壊部）
２１５  第４ロック係合片（カバー係合用ロック係合片）
２１９  第１２破壊連結部（カバー用破壊部）
２２０  第１３破壊連結部（カバー用破壊部）
２２１  第１４破壊連結部（カバー用破壊部）
【図１】
0005513454.tif 000002
【図２】
0005513454.tif 000003
【図３】
0005513454.tif 000004
【図４】
0005513454.tif 000005
【図５Ａ】
0005513454.tif 000006
【図５Ｂ】
0005513454.tif 000007
【図６】
0005513454.tif 000008
【図７Ａ】
0005513454.tif 000009
【図７Ｂ】
0005513454.tif 000010
【図８】
0005513454.tif 000011
【図９】
0005513454.tif 000012
【図１０】
0005513454.tif 000013
【図１１】
0005513454.tif 000014
【図１２】
0005513454.tif 000015
【図１３】
0005513454.tif 000016
【図１４】
0005513454.tif 000017
【図１５】
0005513454.tif 000018
【図１６】
0005513454.tif 000019
【図１７】
0005513454.tif 000020
【図１８】
0005513454.tif 000021
【図１９】
0005513454.tif 000022
【図２０】
0005513454.tif 000023
【図２１】
0005513454.tif 000024
【図２２】
0005513454.tif 000025
【図２３】
0005513454.tif 000026